(57)【要約】【課題】一戸建て住宅などの建物において、複雑なダクト配管の必要がなく、優れた断熱性能による省エネルギー化、熱損失の低減を実現でき、温度差をなくし家全体を均一に快適な温度とすることが可能な空調システム及び家屋を提供する。【解決手段】１つ又は複数の床部、屋根部及び壁部を備え、床部、屋根部又は天井部、及び壁部で囲まれた居住空間と、床部のうち、最下層の床部の下側に画成された床下空間と、屋根部の直下に画成された小屋裏空間と、を有する家屋に適用される換気システムであって、縦方向へ空気を通過させる通気口と、床下空間と小屋裏空間にそれぞれ配された温度・湿度調節装置を備え、寒冷期には、床下空間に配された温度・湿度調節装置によって暖められた暖気を、通気口を介して前記居住空間に供給し、温暖期には、小屋裏空間に配された温度・湿度調節装置によって冷やされた冷気を、通気口を介して前記居住空間に供給することを特徴とする空調システム。【選択図】図５
2018184810.tif 000002
【特許請求の範囲】
【請求項１】
１つ又は複数の床部、屋根部及び壁部を備え、
前記床部、前記屋根部又は天井部、及び前記壁部で囲まれた居住空間と、
前記床部のうち、最下層の床部の下側に画成された床下空間と、
前記屋根部の直下に画成された小屋裏空間と、を有する家屋に適用される換気システムであって、
縦方向へ空気を通過させる通気口と、
前記床下空間と前記小屋裏空間にそれぞれ配された温度・湿度調節装置を備え、
寒冷期には、床下空間に配された温度・湿度調節装置によって暖められた暖気を、前記通気口を介して前記居住空間に供給し、
温暖期には、前記小屋裏空間に配された温度・湿度調節装置によって冷やされた冷気を、前記通気口を介して前記居住空間に供給することを特徴とする空調システム。
【請求項２】
寒冷期には、前記床下空間に配された前記温度・湿度調節装置によって暖められた暖気と、屋外から給気した冷気とを該床下空間で混合して所定の温度に調整した空気を、前記通気口を介して前記居住空間に供給し、
温暖期には、前記小屋裏空間に配された前記温度・湿度調節装置によって冷やされた冷気と、屋外から給気した暖気とを該小屋裏空間で混合して所定の温度に調整した空気を、前記通気口を介して前記居住空間に供給する、請求項１に記載の空調システム。
【請求項３】
前記通気口は、床部、天井部、巾木部のいずれかに設けられている、請求項１または２に記載の空調システム。
【請求項４】
前記通気口は、ガラリ、スリットおよび格子であり、
床下空間に配された温度・湿度調節装置によって暖められた暖気を、前記ガラリおよびスリットを介して前記居住空間に供給し、
小屋裏空間に配された温度・湿度調節装置によって冷やされた冷気を、前記スリット、ガラリおよび格子を介して前記居住空間に供給する、請求項１〜請求項３のいずれか一項に記載の空調システム。
【請求項５】
複数の床部を有し、上層階と下層階とをつなぐ階段が配された階段室を有する、請求項１〜請求項４のいずれか一項に記載の空調システム。
【請求項６】
前記階段室とは別の、上層階と下層階とをつなぐ吹き抜け空間をさらに有する、請求項５に記載の空調システム。
【請求項７】
前記小屋裏空間に配された換気扇を備える、請求項１〜請求項６のいずれか一項に記載の空調システム。
【請求項８】
前記家屋の基礎の全面が断熱化されている、請求項１〜請求項７のいずれか一項に記載の空調システム。
【請求項９】
屋根部が高断熱化されている、請求項１〜請求項８のいずれか一項に記載の空調システム。
【請求項１０】
請求項１〜請求項９のいずれか一項に記載の換気システムを備えた家屋。
【発明の詳細な説明】
【技術分野】
【０００１】
本発明は、空調システム及び家屋に関する。特に、本発明は、高気密高断熱の一戸建て家屋において、複雑なダクト配管を必要とせず、部屋の空調を行う空調システム及び家屋に関する。
【背景技術】
【０００２】
化石燃料の枯渇、化石燃料を大量に使用することによる大気汚染や二酸化炭素による地球温暖化が大きな社会問題となっている現在、省エネルギー化の必要性はますます高まっている。中でも、住宅やビルでのエネルギー消費量は冷暖房を利用した快適な生活空間を望む傾向が強まるとともに上昇していることから、建物の高気密高断熱化による省エネルギー化が求められている。
【０００３】
高気密高断熱住宅のメリットを最大限に活かすことができるのが全館空調と言われている。そして、市販の壁掛けルームエアコン１台で冷暖房ができ、同時に換気、空気浄化、加湿、除湿を行うことができる、省エネで快適な室内環境を可能にした次世代全館空調システムが提案されている（例えば特許文献１、特許文献２）。この全館空調システムでは、例えば図７に示すように、ダクトを全部屋にわたってタコ足のように張り巡らせ、空気をダクトで引き回すことにより換気及び空調（冷房、暖房）を行っている。
【先行技術文献】
【特許文献】
【０００４】
【特許文献１】特許第５０９４８９４号明細書
【特許文献２】特許第５０６７７６９号明細書
【発明の概要】
【発明が解決しようとする課題】
【０００５】
しかしながら、この全館空調システムでは、空気をダクトで引き回すので、換気という観点からは確実性が高いが、以下のような欠点がある。
例えばダクトを全部屋にわたってタコ足のように張り巡らせなければならず、配管が複雑になるとともに初期投資が高価である。空調ユニットの全熱交換装置自体の交換効率は、近年の性能向上によって改良されているが、構造上、部屋全体の熱交換効率には限界がある。また、定期的にフィルターを交換しなければならないなど、メンテナンスの手間やコストがかかり面倒である。
また、暖房・冷房で快適な居室と、暖房・冷房のない脱衣所や浴室との温度差が大きいと、移動のたびに不快に感じ、熱効率も悪い。特に寒冷期には、高齢者にとってはいわゆるヒートショックの問題もある。
【０００６】
本発明は、このような従来の実情に鑑みて提案されたものであり、本発明の目的は、一戸建て住宅などの建物において、複雑なダクト配管の必要がなく、優れた断熱性能による省エネルギー化、熱損失の低減を実現でき、温度差をなくし家全体を均一に快適な温度とすることが可能な空調システム及び家屋を提供することにある。
【課題を解決するための手段】
【０００７】
本発明者らは鋭意検討を続けた結果、寒冷期には、床下空間に配された温度・湿度調節装置によって暖められた暖気を、通気口を介して居住空間に供給し、また温暖期には、小屋裏空間に配された温度・湿度調節装置によって冷やされた冷気を、通気口を介して居住空間に供給することで、上記目的を達成することができることに想到し、本発明を完成させるに至った。すなわち、本発明は以下のとおりである。
［１］
１つ又は複数の床部、屋根部及び壁部を備え、
前記床部、前記屋根部又は天井部、及び前記壁部で囲まれた居住空間と、
前記床部のうち、最下層の床部の下側に画成された床下空間と、
前記屋根部の直下に画成された小屋裏空間と、を有する家屋に適用される換気システムであって、
縦方向へ空気を通過させる通気口と、
前記床下空間と前記小屋裏空間にそれぞれ配された温度・湿度調節装置を備え、
寒冷期には、床下空間に配された温度・湿度調節装置によって暖められた暖気を、前記通気口を介して前記居住空間に供給し、
温暖期には、前記小屋裏空間に配された温度・湿度調節装置によって冷やされた冷気を、前記通気口を介して前記居住空間に供給することを特徴とする空調システム。
［２］
寒冷期には、前記床下空間に配された前記温度・湿度調節装置によって暖められた暖気と、屋外から給気した冷気とを該床下空間で混合して所定の温度に調整した空気を、前記通気口を介して前記居住空間に供給し、
温暖期には、前記小屋裏空間に配された前記温度・湿度調節装置によって冷やされた冷気と、屋外から給気した暖気とを該小屋裏空間で混合して所定の温度に調整した空気を、前記通気口を介して前記居住空間に供給する、［１］に記載の空調システム。
［３］
前記通気口は、床部、天井部、巾木部のいずれかに設けられている、［１］または［２］に記載の空調システム。
［４］
前記通気口は、ガラリ、スリットおよび格子であり、
床下空間に配された温度・湿度調節装置によって暖められた暖気を、前記ガラリおよびスリットを介して前記居住空間に供給し、
小屋裏空間に配された温度・湿度調節装置によって冷やされた冷気を、前記スリット、ガラリおよび格子を介して前記居住空間に供給する、［１］〜［３］のいずれかに記載の空調システム。
［５］
複数の床部を有し、上層階と下層階とをつなぐ階段が配された階段室を有する、［１］〜［４］のいずれかに記載の空調システム。
［６］
前記階段室とは別の、上層階と下層階とをつなぐ吹き抜け空間をさらに有する、［５］に記載の空調システム。
［７］
前記小屋裏空間に配された換気扇を備える、［１］〜［６］のいずれかに記載の空調システム。
［８］
前記家屋の基礎の全面が断熱化されている、［１］〜［７］のいずれかに記載の空調システム。
［９］
屋根部が高断熱化されている、［１］〜［８］のいずれかに記載の空調システム。
［１０］
［１］〜［９］のいずれかに記載の換気システムを備えた家屋。
【発明の効果】
【０００８】
本発明によれば、一戸建て住宅などの建物において、寒冷期には、床下空間に配された温度・湿度調節装置によって暖められた暖気を、通気口を介して居住空間に供給する。また温暖期には、小屋裏空間に配された温度・湿度調節装置によって冷やされた冷気を、通気口を介して居住空間に供給することで、複雑なダクト配管の必要がなく、優れた断熱性能による省エネルギー化、熱損失の低減を実現でき、温度差をなくし家全体を均一に快適な温度とすることが可能な空調システム及び家屋を提供することができる。
【図面の簡単な説明】
【０００９】
【図１】本発明の換気システムが適用される家屋の一例を示す正面図および側面図である。
【図２】本発明の換気システムが適用される家屋の一例を示す１階平面図である。
【図３】本発明の換気システムが適用される家屋の一例を示す２階平面図である。
【図４】本発明の換気システムが適用される家屋の一例を示す小屋裏平面図である。
【図５】本発明の換気システムにおいて空気の流れを説明するための断面図である。
【図６】通気口の一例を示す断面図である。
【図７】従来の全館空調システムの一例を示す図である。
【発明を実施するための形態】
【００１０】
以下、本発明の実施の形態について、図面を参照しながら説明する。
【００１１】
本発明の換気システムは、１つ又は複数の床部、屋根部又は天井部、及び壁部を備え、床部、屋根部及び壁部で囲まれた居住空間と、床部のうち、最下層の床部の下側に画成された床下空間と、屋根部の直下に画成された小屋裏空間と、を有する一戸建て住宅（家屋）に適用される。
なお、以下の説明では２階建ての家屋を例に挙げて説明するが、床下空間を有する家屋であれば、１階建て（平屋建て）の家屋、及び３階建て以上の家屋においても、本発明は同様に適用可能である。
図１〜図５は、本発明の換気システムが適用される家屋の一例を示す図であり、図１は全体外観を示す正面図および側面図、図２は１階平面図、図３は２階平面図、図４は小屋裏平面図である。図５は、本発明の換気システムにおいて空気の流れを説明するための、図２中Ｘ−Ｘ線における断面図である。
【００１２】
家屋１は、基礎部１０、床部（第１床部２０、第２床部２１、第３床部２２）、壁部３０、妻壁部３１（庇直下の壁部）、及び、屋根部４０を有している。基礎部１０と第１床部２０とで囲まれた空間が床下空間１１を成しており、床部２０，２１，２２及び壁部３０で囲まれた空間が、居住空間２３，２４（１階の居住空間２３，２階の居住空間２４）を成している。床部２２、屋根部４０及び壁部３０で囲まれた空間が、小屋裏空間４１（ロフト空間）を成している。天井部（床部２２）が張られず屋根部４０まで吹き抜けになっていてもよい。居住空間２３，２４は、間仕切り壁３２によって複数の部屋あるいは廊下などに区画されている。また、１階と２階、２階とロフトとを結ぶ階段が設けられ階段室２８となっている。さらに、１階と２階とを貫通する吹き抜け２９が設けられていてもよい。
なお、以下の説明では、上述した床下空間１１及び居住空間２３，２４、小屋裏空間４１を含む、家屋１の内側を「室内」とし、家屋１の外側を「室外」とする。
【００１３】
そして本実施形態の空調システムでは、床下空間１１と小屋裏空間４１に、それぞれ温度・湿度調節装置１２，４２が配されている。寒冷期には、床下空間１１に配された温度・湿度調節装置１２によって暖められた暖気を、通気口を介して居住空間２３，２４に供給する。また温暖期には、小屋裏空間４１に配された温度・湿度調節装置４２によって冷やされた冷気を、通気口を介して居住空間２３，２４に供給する。
本実施形態では、床下空間１１と小屋裏空間４１にのみ、温度・湿度調節装置１２，４２を配している。各居室には温度・湿度調節装置を配していない。温度・湿度調節装置が、床下空間１１と小屋裏空間４１との２台のみで済むため、初期費用やランニングコストを低減することができる。
このような温度・湿度調節装置１２，４２としては、放熱式暖房システム等でもよいが、効率よく空気の冷暖房ができる点から、エアーコンディショナーが好ましい。
【００１４】
特に、本発明の換気システムが適用される家屋１は、高気密高断熱住宅であることが好ましい。
具体的に、本実施形態の家屋において、基礎部１０、特に基礎スラブの全面が断熱構造を有していることが好ましい。従来では、むき出しの基礎スラブに熱を奪われ、温まるまでに時間がかかり、エネルギーの大きなロスとなっていた。基礎スラブの全面が、断熱構造とされていることで、暖房エネルギーを効率的に利用可能になる。このような基礎スラブの全面断熱は、寒冷地以外の一般的な間歇運転による暖房では特に効果的である。
さらに、屋根部４０も高断熱化されていることが好ましい。床下空間１１から上昇してきた暖気の熱を逃がさずエネルギーを効率的に利用可能となる。
【００１５】
図５において暖気の流れを実線矢印で示している。本実施形態の換気システムでは、床下空間１１に温度・湿度調節装置１２（例えばエアーエアーコンディショナー）を配し、寒冷期には、この温度・湿度調節装置１２によって空気を暖める。そして暖められた空気（暖気）を床下空間１１から居住空間２３，２４に供給する。すなわち、床下空間１１に配された１台の温度・湿度調節装置１２で家全体を暖房する。居住空間２３，２４と比べて狭い床下空間１１に温度・湿度調節装置１２を配置することで熱効率が向上する。また、床下空間１１に配置することで、騒音の問題もない。
特に、例えば建物がＲＣ（鉄筋コンクリート）造りである場合、床下空間１１に温度・湿度調節装置１２を配することで、ＲＣの熱容量を利用することができ、家屋１の蓄熱性を高めることができる。
さらに、基礎スラブの全面が断熱構造を有していることで、床下空調エリアを高断熱化することができ、暖房エネルギーを効率的に利用可能になる。
なお、床下空間１１に及び温度・湿度調節装置１２が配置されるので、温度・湿度調節装置１２のメンテナンスのための点検口が必要となる。
床下空間１１で暖められた空気（暖気）を通気口（例えば後述するガラリ２６およびスリット２７）を介して居住空間２３，２４に供給することで、家屋全体に暖気をくまなく配分できる。また、床下の暖気によって床部も暖められるため、安価な輻射式である床暖房システムとしても有効である。
【００１６】
また、基礎部１０には換気口１３が設けられており、この換気口１３を通じて屋外の新鮮な外気が取り入れられ（給気）、室内の空気が屋外へ排出される（排気）。
寒冷期には、床下空間１１に配された温度・湿度調節装置１２によって暖められた暖気と、屋外から給気した冷気とを、床下空間１１で予め混合して所定の温度に調整した空気を、居住空間２３，２４に供給することが好ましい。
温度・湿度調節装置１２によって調節された暖気をそのまま居住空間２３，２４に供給すると、気流の熱さ（熱気）を感じ不快なこともあるが、人のいない床下空間１１で暖気を外気の冷気と混合してから供給することで、各空間に供給される空気の温度が、求める室温に近くなり、気流の熱さを感じにくく、快適性を高めることができる。
【００１７】
図５において冷気の流れを点線矢印で示している。本実施形態の換気システムでは、小屋裏空間４１に温度・湿度調節装置４２（例えばエアーコンディショナー）を配し、温暖期には、この温度・湿度調節装置４２によって空気を冷却する。そして冷却された空気（冷気）を、通気口を介して小屋裏空間４１から居住空間２３，２４に供給する。すなわち、小屋裏空間４１に配された１台の温度・湿度調節装置４２で家全体を冷房する。小屋裏空間４１の空気を冷却し、天井裏を冷やすことで、安価な冷輻射を実現することができる。また、居住空間２３，２４の上部を冷却することで、頭寒足熱により、快適性を高めることができる。そして冷却された空気（冷気）を居住空間２３，２４に供給することで、家屋全体に冷気をくまなく配分できる。冷気は、通気口（例えば後述するガラリ、床格子２２ａおよびスリット２７）を介して居住空間２３，２４まで供給される。
【００１８】
小屋裏空間４１にパイプファン４３（換気扇）を備え、パイプファン４３により小屋裏空間４１に冷気を送ることが好ましい。パイプファン４３を設けることにより、区画された小屋裏空間４１に確実に冷気を送り込むことができる。
また、パイプファン４３を備えることで、寒冷期、中間期も空気循環を促し、室内空気を新鮮に保つことができる。
【００１９】
屋根部４０近傍には換気口（図示略）が設けられており、この換気口を通じて屋外の新鮮な外気が取り入れられる（給気）。室内の空気は各部屋から屋外へ排出される（排気）。そして、例えば床下空間１１の熱交換換気装置の近傍に切替ダンパー（図示略）が設けられており、給気した新鮮な空気を、床下空間１２に送ることと、小屋裏空間４１に送ることとが、切替ダンパーにより切り替えられる。
温暖期には、小屋裏空間４１に配された温度・湿度調節装置４２によって冷やされた冷気と、屋外から給気した暖気とを、小屋裏空間４１で予め混合して所定の温度に調整した空気を、居住空間２３，２４に供給することが好ましい。
温度・湿度調節装置によって調節された冷気をそのまま居住空間２３，２４に供給すると、気流の冷たさ（ヒヤリ感）を感じ不快なこともあるが、冷気を外気と混合してから供給することで、各空間に供給される空気の温度が、求める室温に近くなり、気流の冷たさを感じにくく、快適性を高めることができる。
【００２０】
図４に示すように、第３床部２２の一部は、縦方向へ空気を通過させる通気口として床格子２２ａとされている。図２および図３に示すように、第１床部２０、天井部には、それぞれ、縦方向へ空気を通過させる通気口２６，２７が設けられている。
通気口２６，２７が設けられる位置は、特に限定されるものではないが、例えば、通気口２６がカーペットや家具等で覆われたりしないように、部屋の端部、特に、外壁側に配されていることが好ましい。
通気口２６，２７は、区画された各部屋に少なくとも１つは設けられていることが好ましく、階全体でみれば、外壁に沿ってできるだけ均等になるように配されていることが好ましい。これにより、各階において均一に空気を循環することができる。
【００２１】
通気口２６，２７として具体的には、第１床部２０に設けられたガラリ２６、および、天井部に設けられたスリット２７である。床下空間１１からの暖気は、ガラリ２６を通じて各部屋に供給され、小屋裏空間４１からの冷気は、床格子２２ａおよびスリット２７を通じて各部屋に供給される。
また、例えば図６に示すように、第１床部２０において、巾木部３３ａ，３３ｂと壁部３０との間に、床下空間１１からの暖気を通す通気口３４が設けられていてもよい。
図２に示すように、ガラリ２６は、リビング等の居室だけではなく、脱衣所、廊下、トイレなどにも配置されていることが好ましい。脱衣所、廊下、トイレなども暖めて室内温度差をなくすことで、部屋移動の際の温度差による不快感をなくし、特にヒートショックを防止することができる。暖気をガラリ２６を通じて供給することで、ゆっくりと家全体に暖かい空気を循環させることができる。
図３に示すように、スリット２７は、壁に沿って区画１面に設けられていることが好ましい。スリット２７を壁に沿って設けることで、壁面全体を冷やすことができ冷房効率を上げることができる。また、冷たい気流を感じずに冷気を供給できるので快適性を高めることができる。
【００２２】
また、下層階と上層階とをつなぐ階段が配された階段室２８は、空気の移動に大きな役割をはたす。さらに、階段室２８とは別に、上層階と下層階とをつなぐ吹き抜け２９があれば、より効率よく空気を移動することができるため好ましい。均一に空気を循環する観点から、階段室２８と吹抜け２９とは、できるだけ離れた位置にあることが好ましい。階段室２８や吹抜け２９のように大きな空間があることで、快適な空気を、家全体に穏やかに行き渡らせることができる。
【００２３】
本実施形態の換気システムが適用される家屋において、屋根部４０は、二つの傾斜面が山形に合わされた、いわゆる切妻屋根であることが好ましい。また換気口は屋根部４０の最も高くなる部位近傍に設けられていることが好ましい。屋根部４０を切妻構造とすることで、屋根部４０の斜面に沿って空気の流れを形成することができ、換気口からの換気（特に汚れた空気の排気）を効率よく行うことができる。
【００２４】
また例えば各部屋の天井には、換気口が設けられている（図示略）。このとき、換気口側が高くなるように、天井部が傾斜していることが好ましい。天井部の斜面に沿って空気の流れを形成することができ、換気口からの換気（特に汚れた空気の排気）を効率よく行うことができる。各部屋に設けられた換気口は、主に排気用の吸い込み口であり、給気用ではない。給気による気流を感じないので、不快感がない。
各部屋からの換気口はダクトを通じて換気口に接続されている（図示略）。
【００２５】
このように、本発明の空調システムでは、寒冷期には、床下空間に配された温度・湿度調節装置によって暖められた暖気を、床部に設けられた通気口を介して居住空間に供給する。また温暖期には、小屋裏空間に配された温度・湿度調節装置によって冷やされた冷気を、通気口を介して居住空間に供給する。
これにより本発明の空調システムでは、寒くなりすぎず、暑くなりすぎず、１台の温度・湿度調節装置で家全体を快適にできる。また、ゆっくりと流れる快適な気流が、高断熱の居住空間をくまなく循環するため、温度分布にムラがなく、家全体を快適な温度とすることができる。
また、本発明の空調システムでは、複雑なダクト配管の必要がなく、優れた断熱性能による省エネルギー化が実現でき、熱損失の低減が実現できる。複雑なダクトを配さないことにより、構造が簡単になるとともに、初期費用やメンテナンスの手間を抑えることができるなど、メリットは大きい。また、複雑なダクト工事の必要がなくなり、間取りプラン上の制約も少なくなる。
【００２６】
以上、本発明の実施の形態について説明してきたが、本発明はこれに限定されるものではなく、発明の趣旨を逸脱しない範囲で適宜変更可能である。
【産業上の利用可能性】
【００２７】
本発明による空調システムを用いることで、省エネルギー化が実現でき、熱損失の低減が実現できるものとなり、高気密高断熱住宅における全館空調システムとして広く利用することができる。
【符号の説明】
【００２８】
１      ：家屋
１０    ：基礎部
１１    ：床下空間
１２    ：温度・湿度調節装置
１３    ：換気口
２０    ：第１床部
２１    ：第２床部
２２    ：第３床部
２２ａ    ：床格子
２３    ：居住空間（１階）
２４    ：居住空間（２階）
２６    ：通気口（ガラリ）
２７    ：通気口（スリット）
２８    ：階段室
２９    ：吹き抜け
３０    ：壁部
３２    ：間仕切り壁
３３ａ，３３ｂ    ：巾木部
３４    ：通気口
４０    ：屋根部
４１    ：小屋裏空間（ロフト空間）
４２    ：温度・湿度調節装置
４３    ：パイプファン
【図１】
2018184810.tif 000003
【図２】
2018184810.tif 000004
【図３】
2018184810.tif 000005
【図４】
2018184810.tif 000006
【図５】
2018184810.tif 000007
【図６】
2018184810.tif 000008
【図７】
2018184810.tif 000009